(57)【要約】【課題】吸液構造体から離間するシートにより排泄物の取り込みが阻害されるのを防止する吸収性物品を提供する。【解決手段】吸液性シャーシ２の身体側内面１００に、前後方連通部２７，２８が形成されたバリアシート８を備えている。バリアシート８は、バリアシート弾性部材３４Ｌ，３４Ｒと側縁４０，４１との間のシート領域に、シート領域が前後方連通部２７，２８から覗くことを阻止することが可能な手段として、このシート領域のシートどうしを接合したタック４２，４３を形成している。タック４２，４３は両側部分４４，４５に形成されるとともに、バリアシート弾性部材３４Ｌ，３４Ｒが凸部を形成している部分に位置して、前後方向Ｙに延びている。【選択図】図３
2009082438.tif 000002
【特許請求の範囲】
【請求項１】
前後方向および幅方向と、身体側および着衣側と、前ウエスト域、後ウエスト域および前記前後ウエスト域間に位置する股下域と、前記股下域に配置される吸液構造体とを有する吸液性シャーシと、前記吸液性シャーシの前記身体側にあって前記股下域において前記吸液性シャーシから離間可能に形成されたバリアシートとを含み、
前記バリアシートは、伸長状態で取り付けられるとともに前記前後方向に延びるバリアシート弾性部材を含み、前記吸液構造体が前記前後方向に湾曲して前記バリアシートと前記吸液構造体との間に空隙を形成する吸収性物品において、
前記バリアシートは、前記幅方向に対向離間する両側部分と、前記両側部分の間をつなぐ中間部分と、前記空隙の内部に向かって排泄物を通過させることが可能であって前記両側部分および前記中間部分によって形成されている連通部とを含み、前記両側部分は、その前後端部が前記前後ウエスト域に固定され、
前記バリアシート弾性部材は、前記両側部分に取り付けられるものであって、前記連通部に沿って延びており、
前記バリアシートは、前記バリアシート弾性部材よりも前記幅方向の外側に位置するシート領域が前記連通部に向かって湾曲して前記連通部から覗くことを阻止することが可能な手段を備えていることを特徴とする前記吸収性物品。
【請求項２】
前記手段は、前記シート領域の少なくとも一部を前記前後方向に延びる折曲線に沿って折り重ねるとともに、折り重ねた前記バリアシートどうしを接合することにより形成された前記前後方向に延びるタックによって形成される請求項１記載の吸収性物品。
【請求項３】
前記折曲線は、前記バリアシートの前後端部分に亘って延び、
前記バリアシートは、シート本体と、前記折曲線に沿って前記着衣側に折り返された折り返し部とを含み、
前記タックは、前記シート本体と前記折り返し部とが重なった少なくとも一部に形成される請求項２に記載の吸収性物品。
【請求項４】
前記手段は、前記シート領域の前記前後方向に伸長状態で取り付けられる弾性部材によって形成される請求項１記載の吸収性物品。
【請求項５】
前記バリアシート弾性部材は、前記バリアシートの前記前後端部分に亘って延びるとともに、前記中間部分において前記幅方向を二等分する縦中心線に向かう凸部を形成し、
前記手段は、少なくとも前記凸部と前記両側縁の間の領域に亘って前記前後方向に形成される請求項１〜４のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、排泄物によっておむつ着用者の肌が汚れないようにするための構造として、例えば特表平９−５１０３８５号公報（特許文献１）が公知である。
【特許文献１】特表平９−５１０３８５号公報
【発明の開示】
【発明が解決しようとする課題】
【０００３】
特許文献１にはパンツ型の使い捨ておむつが開示されている。このおむつは、パンツ型に形成された被覆シートの内側に吸液構造体を有し、吸液構造体上にはその幅方向に離間する一対のシート状のフラップが配置されている。フラップどうしは接合部によって連結され、フラップと接合部によって前方開口と、後方開口とが形成される。フラップには、前後方開口に沿って、前後方向にわたって弾性部材が伸長状態で取り付けられている。この弾性部材が収縮すると、弾性部材とフラップの両側縁との間に位置するシート領域が立ち上がるようにして、接合部が吸液構造体から離間し、前方開口では尿が流入するポケットを形成し、後方開口では便が流入するポケットを形成する。
【０００４】
おむつの着用状態では、股下域が湾曲するから、立ち上がったフラップのシート領域にたわみが生じる。たわんだシート領域に着用者の体圧などが作用すると、立ち上がり方向へ緊張状態にあったシート領域がたるんで前後方開口から覗くようにしてはみ出してしまう。はみ出したシート領域が開口を塞いだり、開口の面積を狭くしたりすることによって、この開口を介した排泄物のポケットへの取り込みを阻害するという問題があった。
【０００５】
本願発明では、吸液構造体から離間するシートにより排泄物の取り込みが阻害されるのを防止する吸収性着用物品を提供することを課題とする。
【課題を解決するための手段】
【０００６】
本発明は、前後方向および幅方向と、身体側および着衣側と、前ウエスト域、後ウエスト域および前記前後ウエスト域間に位置する股下域と、前記股下域に配置される吸液構造体とを有する吸液性シャーシと、前記吸液性シャーシの前記身体側にあって前記股下域において前記吸液性シャーシから離間可能に形成されたバリアシートとを含み、前記バリアシートは、伸長状態で取り付けられるとともに前記前後方向に延びるバリアシート弾性部材を含み、前記吸液構造体が前記前後方向に湾曲して前記バリアシートと前記吸液構造体との間に空隙を形成する吸収性物品の改良に関わる。
【０００７】
本発明は、前記吸収性物品において、前記バリアシートは、伸長状態で取り付けられるとともに前記前後方向に延びるバリアシート弾性部材を含み、前記吸液構造体が前記前後方向に湾曲して前記バリアシートと前記吸液構造体との間に空隙を形成する吸収性物品において、前記バリアシートは、前記幅方向に対向離間する両側部分と、前記両側部分の間をつなぐ中間部分と、前記空隙の内部に向かって排泄物を通過させることが可能であって前記両側部分および前記中間部分によって形成されている連通部とを含み、前記両側部分は、その前後端部が前記前後ウエスト域に固定され、前記バリアシート弾性部材は、前記両側部分に取り付けられるものであって、前記連通部に沿って延びており、前記バリアシートは、前記バリアシート弾性部材よりも前記幅方向の外側に位置するシート領域が前記連通部に向かって湾曲して前記連通部から除くことを阻止することが可能な手段を備えていることを特徴とする。
【０００８】
好ましい実施態様のひとつとして、前記手段は、前記シート領域の少なくとも一部を前記前後方向に延びる折曲線に沿って折り重ねるとともに、折り重ねた前記バリアシートどうしを接合することにより形成された前記前後方向に延びるタックによって形成される。
【０００９】
好ましい他の実施態様のひとつとして、前記折曲線は、前記バリアシートの前後端部分に亘って延び、前記バリアシートは、シート本体と、前記折曲線に沿って前記着衣側に折り返された折り返し部とを含み、前記タックは、前記シート本体と前記折り返し部とが重なった少なくとも一部に形成される。
【００１０】
好ましい他の実施態様のひとつとして、前記手段は、前記シート領域の前記前後方向に伸長状態で取り付けられる弾性部材によって形成される。
【００１１】
好ましい他の実施態様のひとつとして、前記バリアシート弾性部材は、前記バリアシートの前記前後端部分に亘って延びるとともに、前記中間部分において前記幅方向を二等分する縦中心線に向かう凸部を形成し、前記手段は、少なくとも前記凸部と前記両側縁の間の領域に亘って前記前後方向に形成される。
【発明の効果】
【００１２】
本発明において、バリアシートは、幅方向に対向離間する側縁とバリアシート弾性部材との間のシート領域に、たるんだシートが連通部から覗くことを阻止する手段を備えているので、シートによって排泄物の流入が阻害されることなく、連通部を介して排泄物を吸液構造体に導くことができる。
【発明を実施するための最良の形態】
【００１３】
＜第１の実施形態＞
図１〜６にこの発明の第１の実施形態を示している。図１は吸収性物品の一例としての使い捨ておむつ１の部分破断斜視図であり、図２は図１のＩＩ−ＩＩ線断面図である。図１はおむつ１が着用されたときの状態を示し、幅方向と前後方向とを矢印Ｘ，Ｙで表している。
【００１４】
図１に示されるように、おむつ１は吸液性シャーシ２を含む。吸液性シャーシ２は、身体側内面１００および着衣側外面１０１と、前ウエスト域３、後ウエスト域４およびこれら間の股下域５とを有する。また、おむつ１は、パンツ型に形成されている被覆シート６と、被覆シート６の内側、すなわち身体側内面１００に配置されている吸液構造体７と、吸液構造体７よりもさらに内側に配置されるバリアシート８とを含んでいる。被覆シート６は、内側シート９と、外側シート１０と、これらシート９，１０の間に介在する不透液性の防漏シート１１とによって形成され、前ウエスト域３と、後ウエスト域４と、股下域５とに画成される。前後ウエスト域３，４においては、互いのウエスト側縁部１２，１３の対向面が重なり合い、間欠的に並ぶ複数の接合部１４において互いに接合されてシーム部１５が形成されている。
【００１５】
接合部１４でウエスト側縁部１２，１３が接合されることにより、前後ウエスト域３，４で囲まれた領域にウエスト開口１６が画成されるとともに、接合部１４と股下域５とで囲まれた一対の脚開口１７が画成されている。ウエスト開口１６の周縁部に沿って複数条のウエスト弾性部材１８が延び、脚開口１７の周縁部に沿って複数条の脚弾性部材１９が延びている。それら弾性部材１８，１９は、内側シート９と外側シート１０との間にあり、これらシート９，１０の少なくとも一方に接着剤（図示せず）を介して伸長状態で接合されている。
【００１６】
図２に示すように、吸液構造体７は前後ウエスト域３，４の間において前後方向Ｙに延設しているが、これは少なくとも股下域５に位置していればよい。この吸液構造体７は、被覆シート６の内側に沿って配置された吸液性パネル２０を含む。
吸液性パネル２０は、ティッシュペーパ等の吸液拡散シート２１で包まれる吸液性芯材２２と、芯材２２の上面のうち少なくとも着用者の肌と向かい合う面を覆う内面シート２３とで形成されている。内面シート２３とは反対側である外面（底面）側は外側シート１０を介して防漏シート１１で被覆され、芯材２２に吸収された体液がおむつ１から漏れるのを防止する。防漏シート１１は、吸液性パネル２０の底面に直接接合されることもある。
【００１７】
バリアシート８は、少なくともその前端部分２４と後端部分２５とが前後ウエスト域３，４において内面シート２３に接合され、さらに必要に応じて、両側部分４４，４５に沿って内面シート２３に接合される。なお、バリアシート８の接合部位は、この実施形態のものに限定されず、例えば防漏カフを有するおむつにあっては、この防漏カフに接合することもできる。
【００１８】
図３は図１のシーム部１５における前後ウエスト域３，４の接合部１４の接合をはずし、おむつ１を前後方向Ｙと幅方向Ｘとに展開して得られるおむつ１の平面図である。この図３では、おむつ１が平面状になるように各弾性部材の収縮力を作用させない状態を示している。以下の説明において、左右とは、おむつ１の着用者にとっての左右を意味し、おむつ１は、幅方向Ｘの寸法を二等分する縦中心線Ｐ−Ｐと、前後方向Ｙの寸法を二等分する横中心線Ｑ−Ｑとを有し、縦中心線Ｐ−Ｐに関して左右対称である。
【００１９】
被覆シート６はほぼ砂時計型に形成され、吸液性パネル２０は矩形に形成されている。被覆シート６のウエスト弾性部材１８は鎖線で示した前後のウエスト弾性部材１８Ｆ，１８Ｂから構成され、脚弾性部材１９は鎖線で示した左右の脚弾性部材１９Ｌ，１９Ｒから構成される。
【００２０】
吸液性パネル２０は図４の組み立て分解図に示したとおり、被覆シート６に積層されている。被覆シート６を構成する外側シート１０は繊維不織布や透湿性プラスチックフィルムで形成され、その身体側となる内面（図の上面）には、ウエスト弾性部材１８Ｆ，１８Ｂと脚弾性部材１９Ｌ，１９Ｒとがホットメルト接着剤（図示せず）を介して伸長状態で取り付けられる。外面シート１０の内面には、不透液性で透湿性のプラスチックフィルムで形成された防漏シート１１が接着または溶着により接合される。この防漏シート１１は、既述したように、吸液性パネル２０の底面に直接接合されていてもよいが、吸液性芯材２２の少なくとも底面を覆う大きさを有することが防漏上好ましい。
【００２１】
防漏シート１１の内面には、外側シート１０と同形同大で繊維不織布または透湿性プラスチックフィルムで形成された内側シート９が、接着または溶着により接合される。内側シート９の内面には吸液性パネル２０が接合される。吸液性パネル２０はその着衣側となる外面（底面、図の下面）のほぼ全体を間欠的に塗布されるホットメルト接着剤（図示せず）を介して内側シート９に接合される。吸液性パネル２０の内面にバリアシート８が配置されている。
【００２２】
図５は、図３，４のバリアシート８を拡大したものであり、説明のためその一部を切り欠いている。この図においては、おむつ１のほかの部材は表示されていないが、バリアシート８はおむつ１に接合されている。
バリアシート８は、繊維不織布や透湿性プラスチックフィルム、またはそれらのラミネート等のシート片によって形成されていて、好ましくは不透液性である。バリアシート８は、幅方向Ｘに離間対向する両側部分４４，４５が折曲線５２,５３に沿って吸液性パネル側に折り返された折り返し部３８，３９と、この折り返し部３８，３９を除き身体側内面に位置するシートから形成されるシート本体５１とを含む。バリアシート８は、折り返し部３８，３９の前端部２４および後端部２５が内面シート２３に接合されている（図２参照）。
【００２３】
シート本体５１は、幅方向Ｘに対向離間する両側部分４４，４５と両側部分４４，４５の間をつなぐ中間部分２６とを有し、中間部分２６は股下域５に位置している。両側部分４４，４５および中間部分２６によって連通部を形成している。具体的には、中間部分２６から前ウエスト域３に向かって延びるほぼＵ字形の前方連通部２７と、中間部分２６から後ウエスト域４に向かって延びるほぼＵ字形の後方連通部２８とを形成している。前方連通部２７は、左右の両側部分４４，４５に位置する両内側縁２９Ｌ，２９Ｒと、これら両内側縁２９Ｌ，２９Ｒをつなぐ湾曲した閉鎖縁３０とによって画成される。後方連通部２８は左右の両側部分に位置する両内側縁３１Ｌ，３１Ｒと、これら両内側縁３１Ｌ，３１Ｒをつなぐ湾曲した閉鎖縁３２とによって画成される。前方連通部２７と後方連通部２８とはその閉鎖縁３０，３２を形成する中間部分２６によって画成されている。なお、図示されていないが、バリアシート８は被覆シート６の一部を形成する内側シート９とほぼ同形同大に形成されてもよいし、前後方連通部２７，２８は前後ウエスト域３，４において閉鎖されていてもよい。
【００２４】
バリアシート８は、これを吸液構造体７の厚さ方向へ浮き上がらせるバリアシート弾性部材３４Ｌ，３４Ｒをシート本体５１と折り返し部３８，３９との間に備えている。このバリアシート弾性部材３４Ｌ，３４Ｒは、好ましくは各一条の糸ゴムで形成され、両側縁部４４，４５および前方連通部２７と後方連通部２８のそれぞれの内側縁２９Ｌ，２９Ｒ，３１Ｌ，３１Ｒの近傍に沿って、前後方向Ｙへ延びている。
【００２５】
バリアシート弾性部材３４Ｌは、前後方向Ｙの前後端部分２４，２５に位置する第１，第２部分３５Ｌ，３６Ｌと、これらの間に位置する第３部分３７Ｌとを有している。第１，第２部分３５Ｌ，３６Ｌは、前方連通部２７の内側縁２９Ｌと後方連通部２８の内側縁３１Ｌとに沿ってほぼ直線上に延びていて、第３部分３７Ｌは中間部分２６において閉鎖縁３０，３２に沿って縦中心線Ｐ−Ｐに向かって凸となるように湾曲している。バリアシート弾性部材３４Ｒは、その前後端部分２４，２５に位置する第１，第２部分３５Ｒ，３６Ｒと、これらの間に位置する第３部分３７Ｒとを有している。第１，第２部分３５Ｒ，３６Ｒは、前方連通部２７の内側縁２９Ｒと後方連通部２８の内側縁３１Ｒとに沿ってほぼ直線上に延びていて、第３部分３７Ｒは中間部分２６において閉鎖縁３０，３２に沿って縦中心線Ｐ−Ｐに向かって凸となるように湾曲している。
【００２６】
バリアシート弾性部材３４Ｌと側縁４０との間、及びバリアシート弾性部材３４Ｒと側縁４１との間に位置するシート領域には、連通部２７，２８の開口からシートが覗くことを阻止する阻止手段としてタック４２，４３を形成している。シート領域には折り返し部３８,３９が含まれ、バリアシート弾性部材３４Ｌ，３４Ｒの収縮によってこのシート領域が着用者側へと立ち上がるように作用する。
タック４２，４３は、重なり合ったシート本体５１と折り返し部３８，３９とをヒートシールやホットメルト接着により接合したものである。タック４２，４３は、第３部分３７Ｌ，３７Ｒと両側縁４０，４１との間に形成されるようにしている。一例として、タック４２，４３はその幅方向Ｘの寸法を４ｍｍ、前後方向Ｙの寸法を５０ｍｍとし、バリアシート８の側縁４０，４１からタック４２，４３の幅方向Ｘの外側縁４２ａ，４３ａまでの寸法を７．５ｍｍとしている。
【００２７】
このおむつ１を着用するときには、前方連通部２７に着用者の外性器が臨み、後方連通部２８に肛門が臨み、中間部２６に外性器と肛門との間の肌が当接するように着用状態を整える。このとき、前方連通部２７の閉鎖縁３０が横中心線Ｑ−Ｑよりも前方に位置し、後方連通部２８の閉鎖縁３２が横中心線Ｑ−Ｑの上、または横中心線Ｑ−Ｑの付近に位置していることが好ましい。
【００２８】
以上のように着用すると、吸液構造体７が前後方向Ｙに湾曲するとともに、バリアシート８がバリアシート弾性部材３４Ｌ，３４Ｒの収縮によりシート領域を浮き上がらせ、バリアシート８と吸液構造体７との間に空隙を形成する。すなわちバリアシート８は、中間部分２６を含む内面シート２３に対向する非固定域を内面シート２３からおむつ１の厚さ方向に離間させるように作用する(図２参照)。このとき、バリアシート８の前後端部分２４，２５が吸液性パネル２０に接合されているので、折りたたみ部３８，３９をその厚み方向に伸展させ、シート領域を緊張させるようにしてバリアシート８が浮き上がる。この実施形態においては、折りたたみ部３８，３９を備えることにより、バリアシート８の浮き上がる距離が長くなり、着用者の肌と吸液性パネル２０との離間距離を大きくすることができる。
【００２９】
図６（ａ）は図５のＶＩ−ＶＩ線断面図を示し、図６（ｂ）は（ａ）の状態からバリアシート８が浮き上がったときの図である。また、図６（ｂ）では、比較のためにタック４２，４３を備える前のシート領域の状態を仮想線で示している。
図６（ａ）の状態からバリアシート弾性部材３４Ｌ，３４Ｒが収縮すると、図６（ｂ）に示したように、折り返し部３８，３９および両側部分４４，４５の間のシート領域が身体側内面に向かって立ち上がる。このシート領域にはタック４２，４３を備えているので、タック４２，４３がシート領域を幅方向Ｘの外側に引っ張るようにして幅方向Ｘに緊張させることができる。シート領域の緊張状態が維持されるので、シートのたるみを防止することができ、シートが前後方連通部２７，２８へと覗くようにはみ出すのを防止できる。したがって、前後方連通部２７，２８を介した空隙への排泄物の流入が、これらシートによって阻害されることがない。
一方、タック４２，４３が形成されていない場合には、仮想線で示したように、シート領域の緊張状態が維持されず、シートがたるんで連通部から覗くようにはみ出して、このはみ出したシートによって排泄物の空隙への流入が妨げられる。なお、図６では、位置関係が分かりやすいように、図５では表していない吸液性パネル２０を記載している。
【００３０】
本実施形態では、タック４２，４３を中間部分２６に備えることとしているが、中間部分２６以外に備えてもよい。ただし、バリアシート弾性部材３４Ｌ，３４Ｒの凸となった部分においてシート領域のシート量が多くなり、その分たるみが生じやすく、連通部へのはみ出しが生じやすいので、シート領域が広くなる部分にタックを備えることが望ましい。
バリアシート８の両側部分４４，４５に折り返し部３８，３９を備えることとしているが、これがなくてもよく、その場合には、シートを一方の面からつまむようにして折曲線を形成し、折曲線に沿って他方の面どうしを対向させ、この対向面で接合してタックを形成することができる。またこの場合には両側部分４３，４４を直接内面シート２３に接合するようにする。
【００３１】
バリアシート８には、その両側部分４３，４４に幅方向Ｘへの排泄物の漏れを防止するための液バリアカフを、別途備えるようにしてもよい。ただし、折り返し部３８，３９は前後端部分２４，２５において内面シート２３に接合することとしているが、両側縁４０，４１に沿って前後方向Ｙ全体で接合するようにすれば、折り返し部３８，３９で液バリアカフを構成することとなり、別途これを備える必要はない。
【００３２】
バリアシート８には前後方連通部２７，２８を備えているが、いずれか一方の連通部を備えているものであってもよい。後方連通部２８を備えるようにしたほうが、排泄物が着用者に接触しないという効果を発揮する点で好ましい。
【００３３】
＜第２の実施形態＞
図７，８は第２の実施形態を示したものであり、図７は第１の実施形態の図５と同様の図である。この実施形態では、連通部からシートが覗くのを阻止する阻止手段として阻止用弾性部材４６，４７を備えることを特徴とする。その他の構成要素については、第１の実施形態と同じであるので、その詳細な説明を省略する。
【００３４】
阻止用弾性部材４６，４７は、シート本体５１と折り返し部３８,３９の間であって、少なくともシート本体５１に図示しない接着剤で固着されるとともに前後方向Ｙに伸長状態で取り付けられる。阻止用弾性部材４６，４７は、バリアシート弾性部材３４Ｌ，３４Ｒと側縁４０，４１との間にバリアシート弾性部材３４Ｌ，３４Ｒと並行するように取り付けられる。すなわち、阻止用弾性部材４６，４７は、前後方向Ｙの前後端部分２４，２５に位置する第１，第２部分４８Ｌ，４９Ｌと、これらの間に位置する第３部分５０Ｌとを有している。
【００３５】
第１，第２部分４８Ｌ，４９Ｌは、側部分４４に沿ってほぼ直線上に延びていて、第３部分５０Ｌは閉鎖縁３０，３２に沿って縦中心線Ｐ−Ｐに向かって凸となるように湾曲している。阻止用弾性部材４７は、バリアシート８の前後端部分２４，２５に位置する第１，第２部分４８Ｒ，４９Ｒと、これらの間に位置する第３部分５０Ｒとを有している。第１，第２部分４８Ｒ，４９Ｒは、側部分４５に沿ってほぼ直線上に延びており、第３部分５０Ｒは縦中心線Ｐ−Ｐに向かって凸となるように湾曲している。
【００３６】
図８は図７のＶＩＩＩ−ＶＩＩＩ線断面図であり、仮想線では阻止用弾性部材４６，４７が取り付けられていないときのシート領域の状態を示し、実線で取り付けられた状態を示している。位置関係が分かりやすいように、図７では表していない吸液性パネル２０を記載している。
阻止用弾性部材４６，４７は、バリアシート弾性部材３４Ｌ，３４Ｒに沿って並行するように配設されているので、前後方向Ｙにおいて収縮するときにバリアシート８の前後方向のたるみが無くなるように、バリアシート８にギャザーを形成して、図８の幅方向Ｘの外側に向かってシート領域が引っ張られるようになる。したがって、阻止用弾性部材４６，４７はバリアシート８の前後方向Ｙにおける緊張状態を保ち、バリアシート８がたるんで連通部から覗くようにはみ出すのを防止することができる。
【００３７】
阻止用弾性部材４６，４７は適宜変更可能であって、直線状に取り付けることも可能である。また、阻止用弾性部材に替えて伸縮性シートを用いることもできる。阻止用弾性部材４６，４７は、必ずしもその前後端部分２４，２５にまで伸びている必要はなく、その一部において取り付けられているものでもよい。
【図面の簡単な説明】
【００３８】
【図１】本発明の第１の実施形態を示す斜視図。
【図２】図１のＩＩ−ＩＩ線断面図。
【図３】図１のおむつを展開したときの平面図。
【図４】図３の分解組立図。
【図５】第１の実施形態のバリアシートの一部を切り欠いたときの拡大図。
【図６】（ａ）吸液性パネルに積層された状態を示す図５のＶＩ−ＶＩ線拡大断面図。（ｂ）図６（ａ）のバリアシート弾性部材が収縮したときの図。
【図７】第２の実施形態のバリアシートの一部を切り欠いたときの拡大図。
【図８】吸液性パネルに積層された状態を示す図７のＶＩＩＩ−ＶＩＩＩ線拡大断面図。
【符号の説明】
【００３９】
１      おむつ
２      吸液性シャーシ
３      前ウエスト域
４      後ウエスト域
５      股下域
６      被覆シート
７      吸液構造体
８      バリアシート
２４      前端部分
２５      後端部分
２６      中間部分
２７      前方連通部
２８      後方連通部
３４Ｌ    バリアシート弾性部材
３４Ｒ    バリアシート弾性部材
３８      折り返し部
３９      折り返し部
４０      側縁
４１      側縁
４２      タック（阻止手段）
４３      タック（阻止手段）
４４      側部分
４５      側部分
４６      阻止用弾性部材（阻止手段）
４７      阻止用弾性部材（阻止手段）
５１      シート本体
５２      折曲線
５３      折曲線
【図１】
2009082438.tif 000003
【図２】
2009082438.tif 000004
【図３】
2009082438.tif 000005
【図４】
2009082438.tif 000006
【図５】
2009082438.tif 000007
【図６】
2009082438.tif 000008
【図７】
2009082438.tif 000009
【図８】
2009082438.tif 000010